(57)【要約】本発明は、スマート機器と連動可能なスマート下体運動器に関し、本発明の一側面によると、ペダルトラックが内在したスマート下体運動器胴体部と、この胴体部を連結する基本胴体連結ロッドと、この胴体部に設置されたペダルトラックに沿って動くペダル部と、このペダル部の一軸を基準にして多角度で動くペダルとを含んで構成され、会社業務や勉強などのその他の業務をしながらも限定された空間で効果的に下体の動きを促進すると同時に、活動データをスマートフォンに表出するスマート下体運動器に関する。【選択図】図１【特許請求の範囲】
【請求項１】
胴体部に多方向のペダルトラックが備えられた下体運動器胴体部；
前記ペダルトラックに内設される抵抗体；
前記ペダルトラックの一側に沿って移動するペダル部；
一側が左右側の前記胴体部を連結し、幅を調節する連結部；及び
前記胴体部及び前記ペダル部に設置されたセンサー、ＭＣＵプロセッサ及び通信モジュール；を含み、
前記ＭＣＵプロセッサ及び通信モジュールを介して運動情報がスマート機器と連動することを特徴とするスマート下体運動器。
【請求項２】
前記胴体部は、
傾斜を有し、重力を抵抗の一つとして使用することを特徴とする、請求項１に記載のスマート下体運動器。
【請求項３】
前記ペダル部は、
圧力を与えるとき、前記胴体部内の弾性で高さが変動し、ステッパー運動機能を提供する、請求項１に記載のスマート下体運動器。
【請求項４】
下体運動器のペダル部において、
中心軸を基準にしてジョイスティックと同様に多角度で動くことができ、
ペダルが水平的に左右に動くことを特徴とするスマート下体運動器。
【請求項５】
前記ペダル部は、
ペダルを胴体部に連結するペダル軸の端部に内設されるペダル圧力抵抗体を有し、圧力を与えるとき、加圧ロッドとして構成されることを特徴とする、請求項４に記載のスマート下体運動器。
【請求項６】
前記ペダル部は、
前記ペダルの表面に気圧が内在して圧力を加えるとき、表面が動くことによって足首運動及び足裏刺激が行われることを特徴とする、請求項４に記載のスマート下体運動器。
【請求項７】
前記ペダル部は、
車輪を含み、一般の床上で自由に多角度で足を動かすことを特徴とする、請求項４に記載のスマート下体運動器。
【請求項８】
前記ペダル部は、
センサー、ＭＣＵプロセッサ及び通信モジュールを含み、位置、圧力、カウンティングなどの情報をスマート機器に伝送することを特徴とする、請求項４に記載のスマート下体運動器。
【請求項９】
前記ペダル部は、
光センサーを含み、コンピューターと連動するとき、カーソルをマウスの代わりに足で動かすことを特徴とする、請求項８に記載のスマート下体運動器。
【発明の詳細な説明】
【技術分野】
【０００１】
本発明は、スマート下体運動器に関し、より詳細には、一般の椅子に座って会社業務や勉強などのその他の業務をしながらも効果的に下体の動きを促進すると同時に、活動データをスマート機器に表出するスマート下体運動器に関する。
【背景技術】
【０００２】
一般に、受験生や事務職の勤労者達は、ほぼ一日中椅子に座って生活することから運動不足になることはもちろん、最近の多くの研究機関及び医療機関で発表するように、長時間座っていることから健康に及ぼす癌発症率、肥満、糖尿病発症率の増加などの各種悪影響に晒される。
【０００３】
長時間座っている姿勢の副作用を予防するためにスタンディングデスク及びスタンディング椅子などの家具が紹介されているが、長時間立っていると疲れたり関節に無理がかかるので、座って運動する技術が紹介されている。しかし、現在まで紹介されている技術は、既存の椅子に装着される形態であって、椅子の種類に応じて設置が制限される。主な運動方式としてはペダル式運動及びステッパー式運動があるが、ペダル式運動の場合は、ペダルの一軸が下がるとその反対軸が上がるので、これを使用するときに膝も上がるようになり、空間の確保が必要になる。しかし、事務室の机又は受験生の机の高さは制限されているので、運動が不便になるか、膝が机を打つ場合が発生し得る。また、ステッパー式運動の場合は、特定筋肉のみを繰り返して使用するので、長時間使用するには無理があり得る。
【０００４】
以下の例は、この分野の典型的な先行技術に関するものである。
米国意匠特許第Ｄ１５８，６７５号
米国特許第３，７５１，０３３号明細書
米国特許第３，９６８，９６３号明細書
米国特許第４，６０１，４６４号明細書
米国特許第４，９１３，４２３号明細書
米国特許第５，０４４，６３３号明細書
米国特許第５，１０８，０９２号明細書
米国特許第５，５９９，２６０号明細書
米国特許第５，６９０，５９４号明細書
米国特許第５，８０７，２１２号明細書
米国特許第５，８３３，５７５号明細書
米国特許第６，０５６，６７５号明細書
米国特許第６，０９９，４４５号明細書
米国特許第６，８６６，６１８号明細書
米国特許第８，５１２，２１０号明細書
米国特許出願番号9,813,059（米国特許出願公開第２００２／０１３７６０６号明細書）
米国特許出願番号10,698,295（米国特許出願公開第２００４／０１４２７９７号明細書）
米国特許出願番号10,950,931（米国特許出願公開第２００５／００５４４９２号明細書）
米国特許出願番号ll,766,299（米国特許出願公開第２００７／０２４３９８０号明細書）
米国特許出願番号ll,797,090（米国特許出願公開第２００８／０００４１６６号明細書）
米国特許第７，６４８，４４７号明細書
米国意匠特許第Ｄ７２８，７０７号
【発明の概要】
【発明が解決しようとする課題】
【０００５】
本発明は、上述した問題を解決するためになされたものであって、本発明の一実施例は、既存の家具をそのまま使用し、事務業務やその他の業務をしながらも効率的に下体を運動及びストレッチングすることによって、長時間静的な姿勢でいることを予防し、運動に対する情報をユーザーのスマート機器に表出するスマート下体運動器を提供する。
【課題を解決するための手段】
【０００６】
前記目的を達成するために、本発明の好ましい一実施例は、中心軸を基準にして多角度で動き、ペダルトラックに沿って動くペダル部と、ペダルトラックを含み、コンパクトでありながらもペダル間の距離を調節するために幅調節が可能なものであって、場所に関係なく机の下側に設置しやすい胴体と、を含み、運動した情報をユーザーのスマート機器に表出できるという特徴を有するスマート下体運動器を提供する。
【発明の効果】
【０００７】
上述した本発明の一実施例によると、第一に、中心軸を基準にして多角度で動くペダルは足首及び脹脛の筋肉のストレッチングを促進し、ストレッチングを少し行うだけでも多くの筋肉が動くようになり、血液循環を促進することができる。
【０００８】
第二に、ペダルトラックに沿って動くペダル運動により、ユーザーが大きな力を入れなくても脚を動かしやすくなり、長時間繰り返して足を動かしても疲れないので長時間使用が可能であり、血液循環を促進し、カロリーを消費するという効果がある。
【０００９】
第三に、ユーザーのスマート下体運動器の使用情報がセンサーを介してユーザーのスマート機器に伝達されるので、ユーザーの運動目標や活動パターンなどを表出することができ、これを通じて運動奨励効果を期待することができる。
【図面の簡単な説明】
【００１０】
【図１】本発明の一実施例に係るスマート下体運動器を示した斜視図である。
【図２】図１に示したスマート下体運動器の上面図である。
【図３】図１に示したスマート下体運動器の側面図である。
【図４】図１に示したスマート下体運動器のペダル間の距離を調節する作動状態図である。
【図５ａ】図１に示したスマート下体運動器のペダル部が中心軸を基準にして多角度で動く作動状態図である。
【図５ｂ】図１に示したスマート下体運動器のペダル部が中心軸を基準にして多角度で動く作動状態図である。
【図５ｃ】図１に示したスマート下体運動器のペダル部が中心軸を基準にして多角度で動く作動状態図である。
【図６】本発明の一実施例に係るスマート下体運動器のペダル運動の使用状態図である。
【図７】本発明の一実施例に係るスマート下体運動器のセンサー装着を示した上面図である。
【図８】図７に示したセンサーで集めた情報をスマート機器に表出するプロセス図である。
【図９ａ】図１に示したスマート下体運動器の応用実施例によって椅子の脚の一部分を胴体に固定する使用状態図である。
【図９ｂ】図１に示したスマート下体運動器の応用実施例によって椅子の脚の一部分を胴体に固定する使用状態図である。
【図１０】図１に示したスマート下体運動器の応用実施例によって傾斜を異ならせて示した状態図である。
【図１１ａ】図１に示したスマート下体運動器の応用実施例に係る状態図であって、ステッパーの作動状態図である。
【図１１ｂ】図１に示したスマート下体運動器の応用実施例に係る状態図であって、ステッパーの作動状態図である。
【図１２】図１に示したスマート下体運動器の応用実施例に係る状態図であって、ペダルトラックの多角化の作動状態図である。
【図１３】図１に示したスマート下体運動器の応用実施例に係る他の状態図である。
【図１４】図１３に示したスマート下体運動器の応用実施例に係る状態図であって、コンピューターマウスの作動状態図である。
【発明を実施するための形態】
【００１１】
以下、本発明の実施例に対して添付の図面を参照して詳細に説明する。本発明の実施例は、本発明の内容をより容易に開示するために説明するものであって、本発明の範囲が添付の図面の範囲に限定されることはなく、この技術分野で通常の知識を有する者であれば容易に理解できるだろう。まず、添付の図面を参照して本発明の好ましい実施例に係る構造を説明する。
【００１２】
図１は、本発明の好ましい実施例に係るスマート下体運動器を示した斜視図で、図２は上面図で、図３は側面図である。下体運動器１は、スマート下体運動器胴体部１０、ペダル部２０、センサー３１及びＭＣＵプロセッサ３３を含む。スマート下体運動器胴体部１０は、コンパクトであるので事務室や学校の机の下側に楽に設置可能であり、ソファーや椅子に座って使用しやすい。スマート下体運動器胴体部１０は、基本胴体表面１１、二つの基本胴体高さ支持部１１ａ及び二つのペダルトラック１２を含んでおり、基本胴体連結ロッド１３が二つの基本胴体高さ支持部１１ａを連結する。基本胴体連結ロッド１３は、図４に示したように幅の調節が可能である。
【００１３】
スマート下体運動器胴体部１０は、ペダルトラック１２を設置するベースとしての役割をし、傾斜を有するので運動抵抗力のうち特に重力を加えるようになる。本明細書の図面には示していないが、他の滑りの抵抗力は、ばね、摩擦、油圧、空気圧などを含む多くの方式で調節することができる。
【００１４】
ペダル部２０は、左右のペダル別にペダル基本底２１、ペダル踵滑り防止部２１ａ、ペダルサイズ調節部２１ｂ、ペダル軸ベース２２、ペダル連結ロッド２２ａ及び一つ以上のペダルトラックローラー２３ａを含む。
【００１５】
基本胴体連結ロッド１３は、両側の基本胴体高さ支持部１１ａから着脱可能であり、分解及び移動時の体積を最小化することができる。
【００１６】
ペダル部２０は、図５ａ、図５ｂ及び図５ｃに示したように、左右のそれぞれの軸となるペダル軸ベース２２と、これをペダル基本底２１と連結するペダル連結ロッド２２ａとを含んで構成される。ペダル軸ベース２２及びペダル連結ロッド２２ａは、図５ａに示したように、水平線上で踵を合わせて回転する機能を含み、図５ｂ及び図５ｃに示したように、ペダル連結ロッド２２ａは、ジョイスティックと同様に中心軸を基準にして多様な角度で動くことができる。
【００１７】
ペダル部２０は、ペダルを胴体部１０に連結するペダル軸の端部に内設されるペダル圧力抵抗体を備えており、これは、圧力を与えるときに加圧ロッドとして構成される。ペダル部２０が多角度で動く機能は、ユーザーの下体筋肉、特に脹脛及び足首のストレッチングを促進し、これに連結された多くの微細筋肉を共に刺激する。このような微細筋肉の動きは、一つの姿勢を維持することから生じる筋肉硬化及びこれによる痛みを予防するという効果を有する。
【００１８】
図６は、好ましい実施例に係るスマート下体運動器１の使用方法を示した斜視図であって、二つのペダル部２０を同時に又は交互に押したり引っ張ったりすることができる。このような動きは、下体筋肉を持続的に動かせ、血液循環の活性化を促進し、カロリーを消耗する。
【００１９】
スマート下体運動器１は、図７に示したように、ペダル基本底２１にペダル前側センサー３０及びペダル後側センサー３０ａが設置され、ペダル連結ロッド２２ａの位置にペダル位置センサー３２が設置されることが好ましい。また、基本胴体表面１１に４個以上の距離センサー３１が設置される。これらのセンサーは、ペダル部２０が左右のそれぞれの最上部センサー３１ａ、中上部センサー３１ｂ、中下部センサー３１ｃ及び最下部センサー３１ｄを通過する動き、及びペダル前側センサー３０及びペダル後側センサー３１ａの圧力情報を基本胴体連結ロッド１３に設置されたＭＣＵプロセッサ及び通信モジュール３３を介してユーザーのスマート機器に表出する。このような多くのセンサーは、ユーザーの基本活動のみならず、詳細には歩幅及び両足の力の差による力の不均衡を感知し、これを通じた姿勢の不均衡を予測することができる。
【００２０】
図７の各センサーで生成された情報は、図８に示したように、Ｗｉ−Ｆｉ、ブルートゥース（登録商標）、ＲＦＩＤなどを含む近距離通信でスマート機器と連動し、スマート機器は、インターネット通信を介してクラウドに情報を送信し、クラウドで分析・生成された情報が、再びスマート機器又は病院などのユーザーが指定した機器や機関と連動することによって情報が表出される。
【００２１】
図９ａ及び図９ｂは、応用実施例に係るスマート下体運動器を示し、このスマート下体運動器は、椅子脚固定ホール１４又はオープン型椅子脚固定ホール１４ａを有することを特徴とする。椅子脚を固定する機能は、ユーザーが力を与えたとき、スマート下体運動器１又は椅子が押される結果を防止することができる。
【００２２】
図１０は、他の応用実施例に係るスマート下体運動器を示し、応用凸表面胴体部１０ｂは、応用凸胴体表面１１’に異なる傾斜を与えており、ユーザーが押したり引っ張ったりする動作に新しい楽しさを感じることができる。
【００２３】
図１１ａ及び図１１ｂは、好ましい応用実施例を示し、応用ステッパー胴体部１０ｃ又は応用ペダル連結ロッド２２ａ’のようにステッパーとしての機能を具現することができる。応用凹胴体表面１１”は、メタルやプラスチック素材のそれ自体の弾性又は応用ステッパー胴体部１０ｃ内に設置された弾性体でステッパーとしての機能を具現することができ、その他の応用ペダル連結ロッド２２ａ’内に設置されたペダル圧力抵抗体、好ましくは、ユーザーは弾性体２２ｂでステッパー効果を期待することができる。また、図面に示していないが、ペダル基本底２１に気圧を入れることができる表面、好ましくは、空気を注入できる中敷の表面に圧力を加えるとき、反対面の反動により、ユーザーは軽い足首運動及び足裏マッサージの効果を享受することができる。
【００２４】
図１２に示した好ましい応用スマート下体運動器は、複数の応用ペダルトラック胴体部１０ｄ内に横側ペダルトラック１２ａを有するので、ユーザーは、前後方向の下体運動の他にも、横方向又は左右方向に足を動かすことができる。この応用機能により、ユーザーは、より多様な筋肉を使用する運動を行うことができる。
【００２５】
図１３に示したように、ペダル部２０には回転可能な車輪が含まれるので、一般の床上で自由に多角度で足を動かすことができる。
【００２６】
本発明は、前記構造により、胴体部１０がなくても、ローラースケートと同様にペダルが独立的に床上で使用可能である。
【００２７】
ペダル部２０はセンサー及び通信モジュールを含み、位置、圧力、カウンティングなどの情報をスマートフォンに伝送する。
【００２８】
このとき、ＭＣＵプロセッサは既存の胴体部１０に設置されるものではなく、ペダル自体がＭＣＵプロセッサ及び通信モジュール３３を備えることができる。
【００２９】
図１４に示した他の好ましい応用スマート下体運動器は、ペダル部２０に光センサーを含み、コンピューターのマウスと同様にペダルで画面カーソルを操作し、自然に下体を持続的に動かせるように使用可能である。
【００３０】
本発明は、特許請求の範囲で請求する請求の要旨を逸脱せずとも、当該技術分野で通常の知識を有する者によって多様に変更して実施可能であるので、本発明の技術保護範囲は、上述した特定の好ましい実施例に限定されない。
【符号の説明】
【００３１】
１    スマート下体運動器
１０    スマート下体運動器胴体部
１０ａ    応用下体運動器胴体部
１０ｂ    応用凸表面胴体部
１０ｃ    応用ステッパー胴体部
１０ｄ    複数の応用ペダルトラック胴体部
１１    基本胴体表面
１１’    応用凸胴体表面
１１”    応用凹胴体表面
１１ａ    基本胴体高さ支持部
１２    ペダルトラック
１２ａ    横側ペダルトラック
１３    基本胴体連結ロッド
１４    椅子脚固定ホール
１４ａ    オープン型椅子脚固定ホール
２０    ペダル部
２１    ペダル基本底
２１ａ    ペダル踵滑り防止部
２１ｂ    ペダルサイズ調節部
２２    ペダル軸ベース
２２ａ    ペダル連結ロッド
２２ａ’    応用ペダル連結ロッド
２２ｂ    ペダル弾性体
２３    ペダルトラック連結軸
２３ａ    ペダルトラックローラー
３０    ペダル前側センサー
３０ａ    ペダル後側センサー
３１    センサー
３１ａ    最上部センサー
３１ｂ    中上部センサー
３１ｃ    中下部センサー
３１ｄ    最下部センサー
３２    ペダル位置センサー
３３    ＭＣＵプロセッサ及び通信モジュール
【図１】
2019501684.tif 000002
【図２】
2019501684.tif 000003
【図３】
2019501684.tif 000004
【図４】
2019501684.tif 000005
【図５ａ】
2019501684.tif 000006
【図５ｂ】
2019501684.tif 000007
【図５ｃ】
2019501684.tif 000008
【図６】
2019501684.tif 000009
【図７】
2019501684.tif 000010
【図８】
2019501684.tif 000011
【図９ａ】
2019501684.tif 000012
【図９ｂ】
2019501684.tif 000013
【図１０】
2019501684.tif 000014
【図１１ａ】
2019501684.tif 000015
【図１１ｂ】
2019501684.tif 000016
【図１２】
2019501684.tif 000017
【図１３】
2019501684.tif 000018
【図１４】
2019501684.tif 000019
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
胴体部；
前記胴体部に配置されてスライディング移動し、ユーザーの足に着用されるペダル部；
前記胴体部に取り付けられ、ユーザーが前記ペダル部を動かしたとき、それに対する抵抗力を前記ペダル部に印加する抵抗体；及び
前記胴体部に取り付けられてスマート機器と通信し、前記ペダル部の動きを感知し、ユーザーの運動量データをスマート機器に伝送する制御部；
を含むスマート下体運動器。
【請求項２】
前記胴体部は、
前記ペダル部がスライディング移動するようにペダルトラックが傾斜して形成された胴体表面部；及び
前記各胴体表面部間の間隔が調節されるように前記各胴体表面部間を連結する連結部；
を含むことを特徴とする、請求項１に記載のスマート下体運動器。
【請求項３】
前記胴体部は、
ベースフレーム；及び
前記ペダル部がスライディング移動するようにペダルトラックが形成され、前記ベースフレームに弾性的に折り曲げられるように一側が連結され、ステッパー運動可能に設けられる胴体表面部；
を含むことを特徴とする、請求項１に記載のスマート下体運動器。
【請求項４】
ユーザーの足に着用するペダル部として設けられるスマート下体運動器において、
前記ペダル部は、
ペダル軸ベース；
前記ペダル軸ベースに締結され、多角度でティルティングされるように設けられるペダル連結ロッド；及び
前記ペダル連結ロッドに回転可能に締結され、ユーザーの足に着用されるペダル基本底；
を含むことを特徴とするスマート下体運動器。
【請求項５】
前記ペダル部は、
長さ方向に伸縮可能に設けられた前記ペダル連結ロッドに取り付けられ、前記ペダル基本底を着用したユーザーの足に抵抗として作用するように弾性力を前記ペダル部に印加するペダル弾性体；
をさらに含むことを特徴とする、請求項４に記載のスマート下体運動器。
【請求項６】
前記ペダル部には、
前記ペダル基本底の表面層の内部に流体が貯蔵され、前記ペダル基本底を加圧する場合、表面が動くことによってユーザーの足首運動及び足裏刺激が行われるように設けられることを特徴とする、請求項４に記載のスマート下体運動器。
【請求項７】
前記ペダル部には、
地面上で移動できるように前記ペダル軸ベースに車輪が備えられることを特徴とする、請求項４に記載のスマート下体運動器。
【請求項８】
前記ペダル部は、
前記ペダル軸ベースに取り付けられるセンサー；及び
スマート機器と通信し、前記センサーを通じて前記ペダル部の状態変化を感知したとき、それに対応してスマート機器を制御する制御部；
をさらに含むことを特徴とする、請求項４に記載のスマート下体運動器。
【請求項９】
前記胴体部及び前記ペダル部のうち少なくともいずれか一つに取り付けられた位置センサー及び圧力センサー；をさらに含み、
前記制御部は、前記位置センサー及び圧力センサーからデータを受信し、前記ペダル部の位置、前記ペダル部を加圧する圧力、前記ペダル部の変化情報を算出してスマート機器に伝送することを特徴とする、請求項１に記載のスマート下体運動器。
【手続補正２】
【補正対象書類名】明細書
【補正対象項目名】全文
【補正方法】変更
【補正の内容】
【発明の詳細な説明】
【技術分野】
【０００１】
本発明は、スマート下体運動器に関し、より詳細には、一般の椅子に座って会社業務や勉強などのその他の業務をしながらも効果的に下体の動きを促進すると同時に、活動データをスマート機器に表出するスマート下体運動器に関する。
【背景技術】
【０００２】
一般に、受験生や事務職の勤労者達は、ほぼ一日中椅子に座って生活することから運動不足になることはもちろん、最近の多くの研究機関及び医療機関で発表するように、長時間座っていることから健康に及ぼす癌発症率、肥満、糖尿病発症率の増加などの各種悪影響に晒される。
【０００３】
長時間座っている姿勢の副作用を予防するためにスタンディングデスク及びスタンディング椅子などの家具が紹介されているが、長時間立っていると疲れたり関節に無理がかかるので、座って運動する技術が紹介されている。しかし、現在まで紹介されている技術は、既存の椅子に装着される形態であって、椅子の種類に応じて設置が制限される。主な運動方式としてはペダル式運動及びステッパー式運動があるが、ペダル式運動の場合は、ペダルの一軸が下がるとその反対軸が上がるので、これを使用するときに膝も上がるようになり、空間の確保が必要になる。しかし、事務室の机又は受験生の机の高さは制限されているので、運動が不便になるか、膝が机を打つ場合が発生し得る。また、ステッパー式運動の場合は、特定筋肉のみを繰り返して使用するので、長時間使用するには無理があり得る。
【０００４】
以下の例は、この分野の典型的な先行技術に関するものである。
米国意匠特許第Ｄ１５８，６７５号
米国特許第３，７５１，０３３号明細書
米国特許第３，９６８，９６３号明細書
米国特許第４，６０１，４６４号明細書
米国特許第４，９１３，４２３号明細書
米国特許第５，０４４，６３３号明細書
米国特許第５，１０８，０９２号明細書
米国特許第５，５９９，２６０号明細書
米国特許第５，６９０，５９４号明細書
米国特許第５，８０７，２１２号明細書
米国特許第５，８３３，５７５号明細書
米国特許第６，０５６，６７５号明細書
米国特許第６，０９９，４４５号明細書
米国特許第６，８６６，６１８号明細書
米国特許第８，５１２，２１０号明細書
米国特許出願番号9,813,059（米国特許出願公開第２００２／０１３７６０６号明細書）
米国特許出願番号10,698,295（米国特許出願公開第２００４／０１４２７９７号明細書）
米国特許出願番号10,950,931（米国特許出願公開第２００５／００５４４９２号明細書）
米国特許出願番号ll,766,299（米国特許出願公開第２００７／０２４３９８０号明細書）
米国特許出願番号ll,797,090（米国特許出願公開第２００８／０００４１６６号明細書）
米国特許第７，６４８，４４７号明細書
米国意匠特許第Ｄ７２８，７０７号
【発明の概要】
【発明が解決しようとする課題】
【０００５】
本発明は、上述した問題を解決するためになされたものであって、本発明の一実施例は、既存の家具をそのまま使用し、事務業務やその他の業務をしながらも効率的に下体を運動及びストレッチングすることによって、長時間静的な姿勢でいることを予防し、運動に対する情報をユーザーのスマート機器に表出するスマート下体運動器を提供する。
【課題を解決するための手段】
【０００６】
前記のような目的を達成するために、本発明の好ましい実施例に係るスマート下体運動器は、胴体部；前記胴体部に配置されてスライディング移動し、ユーザーの足に着用されるペダル部；前記胴体部に取り付けられ、ユーザーが前記ペダル部を動かしたとき、それに対する抵抗力を前記ペダル部に印加する抵抗体；及び前記胴体部に取り付けられてスマート機器と通信し、前記ペダル部の動きを感知し、ユーザーの運動量データをスマート機器に伝送する制御部；を含む。
【０００７】
ここで、前記胴体部は、前記ペダル部がスライディング移動するようにペダルトラックが傾斜して形成された胴体表面部；及び前記各胴体表面部間の間隔が調節されるように前記各胴体表面部間を連結する連結部；を含むことができる。
【０００８】
また、前記胴体部は、ベースフレーム；及び前記ペダル部がスライディング移動するようにペダルトラックが形成され、前記ベースフレームに弾性的に折り曲げられるように一側が連結され、ステッパー運動可能に設けられる胴体表面部；を含むこともできる。
【０００９】
ユーザーの足に着用するペダル部として設けられるスマート下体運動器において、前記ペダル部は、ペダル軸ベース；前記ペダル軸ベースに締結され、多角度でティルティング可能に設けられるペダル連結ロッド；及び前記ペダル連結ロッドに回転可能に締結され、ユーザーの足に着用されるペダル基本底；を含むことができる。
【００１０】
そして、前記ペダル部は、長さ方向に伸縮可能に設けられた前記ペダル連結ロッドに取り付けられ、前記ペダル基本底を着用したユーザーの足に抵抗として作用するように弾性力を前記ペダル部に印加するペダル弾性体；をさらに含むこともできる。
【００１１】
また、前記ペダル部には、前記ペダル基本底の表面層の内部に流体が貯蔵され、前記ペダル基本底を加圧する場合、表面が動くことによってユーザーの足首運動及び足裏刺激が行われるように設けられてもよい。
【００１２】
さらに、前記ペダル部には、地面上で移動できるように前記ペダル軸ベースに車輪が備えられてもよい。
【００１３】
この場合、前記ペダル部は、前記ペダル軸ベースに取り付けられるセンサー；及びスマート機器と通信し、前記センサーを通じて前記ペダル部の状態変化を感知したとき、それに対応してスマート機器を制御する制御部；をさらに含むこともできる。
【００１４】
それに加えて、前記胴体部及び前記ペダル部のうち少なくともいずれか一つに取り付けられた位置センサー及び圧力センサー；をさらに含み、前記制御部は、前記位置センサー及び圧力センサーからデータを受信し、前記ペダル部の位置、前記ペダル部を加圧する圧力、前記ペダル部の変化情報を算出してスマート機器に伝送するように設けられてもよい。
【発明の効果】
【００１５】
上述した本発明の一実施例によると、第一に、中心軸を基準にして多角度で動くペダルは足首及び脹脛の筋肉のストレッチングを促進し、ストレッチングを少し行うだけでも多くの筋肉が動くようになり、血液循環を促進することができる。
【００１６】
第二に、ペダルトラックに沿って動くペダル運動により、ユーザーが大きな力を入れなくても脚を動かしやすくなり、長時間繰り返して足を動かしても疲れないので長時間使用が可能であり、血液循環を促進し、カロリーを消費するという効果がある。
【００１７】
第三に、ユーザーのスマート下体運動器の使用情報がセンサーを介してユーザーのスマート機器に伝達されるので、ユーザーの運動目標や活動パターンなどを表出することができ、これを通じて運動奨励効果を期待することができる。
【図面の簡単な説明】
【００１８】
【図１】本発明の一実施例に係るスマート下体運動器を示した斜視図である。
【図２】図１に示したスマート下体運動器の上面図である。
【図３】図１に示したスマート下体運動器の側面図である。
【図４】図１に示したスマート下体運動器のペダル間の距離を調節する作動状態図である。
【図５ａ】図１に示したスマート下体運動器のペダル部が中心軸を基準にして多角度で動く作動状態図である。
【図５ｂ】図１に示したスマート下体運動器のペダル部が中心軸を基準にして多角度で動く作動状態図である。
【図５ｃ】図１に示したスマート下体運動器のペダル部が中心軸を基準にして多角度で動く作動状態図である。
【図６】本発明の一実施例に係るスマート下体運動器のペダル運動の使用状態図である。
【図７】本発明の一実施例に係るスマート下体運動器のセンサー装着を示した上面図である。
【図８】図７に示したセンサーで集めた情報をスマート機器に表出するプロセス図である。
【図９ａ】図１に示したスマート下体運動器の応用実施例によって椅子の脚の一部分を胴体部に固定する使用状態図である。
【図９ｂ】図１に示したスマート下体運動器の応用実施例によって椅子の脚の一部分を胴体部に固定する使用状態図である。
【図１０】図１に示したスマート下体運動器の応用実施例によって傾斜を異ならせて示した状態図である。
【図１１ａ】図１に示したスマート下体運動器の応用実施例に係る状態図であって、ステッパーの作動状態図である。
【図１１ｂ】図１に示したスマート下体運動器の応用実施例に係る状態図であって、ステッパーの作動状態図である。
【図１２】図１に示したスマート下体運動器の応用実施例に係る状態図であって、ペダルトラックの多角化の作動状態図である。
【図１３】図１に示したスマート下体運動器の応用実施例に係る他の状態図である。
【図１４】図１３に示したスマート下体運動器の応用実施例に係る状態図であって、コンピューターマウスの作動状態図である。
【発明を実施するための形態】
【００１９】
以下、本発明の実施例に対して添付の図面を参照して詳細に説明する。本発明の実施例は、本発明の内容をより容易に開示するために説明するものであって、本発明の範囲が添付の図面の範囲に限定されることはなく、この技術分野で通常の知識を有する者であれば容易に理解できるだろう。まず、添付の図面を参照して本発明の好ましい実施例に係る構造を説明する。
【００２０】
以下では、添付の図面を参考にして本発明の具体的な実施例に対して説明する。
【００２１】
図１は、本発明の一実施例に係るスマート下体運動器を示した斜視図で、図２及び図３は、図１に示したスマート下体運動器の上面図及び側面図で、図４は、図１に示したスマート下体運動器のペダル間の距離を調節する作動状態図である。
【００２２】
そして、図５ａ〜図５ｃは、図１に示したスマート下体運動器のペダル部が中心軸を基準にして多角度で動く作動状態図で、図６は、前記スマート下体運動器のペダル運動の使用状態図である。
【００２３】
そして、図７は、前記スマート下体運動器のセンサー装着を示した上面図で、図８は、図７に示したセンサーで集めた情報をスマート機器に表出するプロセス図である。
【００２４】
図１〜図８を参照すると、本発明の実施例に係るスマート下体運動器１は、胴体部１０と、胴体部１０に配置されてスライディング移動し、ユーザーの足に着用されるペダル部２０と、胴体部１０に取り付けられ、ユーザーがペダル部２０を動かしたとき、それに対する抵抗力をペダル部２０に印加する抵抗体と、胴体部１０に取り付けられてスマート機器と通信し、ペダル部２０の動きを感知し、ユーザーの運動量データをスマート機器に伝送する制御部とを含む。
【００２５】
胴体部１０は、コンパクトに設けられ、事務室や学校の机の下側に楽に設置可能であり、ソファーや椅子に座って使用しやすい。
【００２６】
より具体的には、胴体部１０は一対に設けられ、ペダル部２０がそれぞれ配置され、ペダル部２０がスライディング移動するようにペダルトラック１２が傾斜して形成された胴体表面部１１と、各胴体表面部１１間の間隔が調節されるように各胴体表面部１１間を連結する連結部１３とを含む。
【００２７】
すなわち、胴体表面部１１には、ペダル部２０が締結されてスライディング移動するようにペダルトラック１２が形成されており、胴体表面部１１が傾斜して配置されるように胴体表面部１１の一側に支持部１１ａが備えられ、支持部１１ａが連結部１３にスライディング移動可能に取り付けられる。
【００２８】
したがって、胴体表面部１１が傾斜して配置されており、自重によってペダル部２０が傾斜面に沿ってスライディング移動するようになるので、ユーザーがペダル部２０を着用し、ペダル部２０が自重によって移動する力に抵抗してペダル部２０を移動させることだけでも、ユーザーの下体を運動させる運動抵抗力が作用し得る。
【００２９】
そして、ユーザーの体形又は運動強度を調節するために胴体表面部１１が締結された支持部１１ａを連結部１３で移動させ、図４に示したように、一対の各胴体表面部１１間の幅調節が可能である。
【００３０】
さらに、連結部１３は、支持部１１ａに対して着脱可能に設けられ、スマート下体運動器１を移動又は保管する場合、これを分離することによって移動又は保管時の体積を最小化することができる。
【００３１】
前記抵抗体は、図面に示していないが、胴体部１０の内部でペダルトラック１２に取り付けられ、ユーザーがペダル部２０を動かしたとき、それに対して抵抗する方向に弾性力をペダル部２０に印加するように設けられ得る。
【００３２】
例えば、前記抵抗体がばねとして設けられると、ユーザーがペダル部２０を移動させると、ばねが引っ張られたり圧縮されたりしながら弾性力が発生するようになり、このような弾性力は、ペダル部２０の移動に対する抵抗力として作用し、ユーザーに運動抵抗力として作用し得る。
【００３３】
前記抵抗体は、これに限定されることなく、摩擦面、油圧などのペダル部２０の動きに対する抵抗として作用し得る如何なる装置としても設けられ得る。
【００３４】
ペダル部２０は胴体部１０に配置され、ユーザーが足に着用してスライディング移動させながら運動できるように設けられる。
【００３５】
より具体的に、ペダル部２０は、胴体部１０のペダルトラック１２に沿ってスライディング移動するペダル軸ベース２２と、ペダル軸ベース２２に締結され、多角度でティルティング可能に設けられるペダル連結ロッド２２ａと、ペダル連結ロッド２２ａに回転可能に締結され、ユーザーの足に着用されるペダル基本底２１とを含んで構成される。
【００３６】
そして、ペダル基本底２１には、ユーザーの足が滑ることを防止するようにペダル踵滑り防止部２１ａと、ユーザーの足のサイズに対応してサイズを調節できるペダルサイズ調節部２１ｂとが備えられ得る。
【００３７】
また、ペダル軸ベース２２がペダルトラック１２でより円滑にスライディング移動できるように、ペダル軸ベース２２に一つ以上のペダルトラックローラー２３ａが備えられてもよい。
【００３８】
そして、ペダル基本底２１は、ペダル連結ロッド２２ａに回転可能に締結されており、図５ａに示したように、水平面上でペダル基本底２１を回転させることができ、ユーザーが踵を合わせて回転運動を行うことができる。
【００３９】
また、図５ｂ及び図５ｃに示したように、ペダル連結ロッド２２ａがジョイスティックと同様に中心軸を基準にして多様な角度でティルティング可能であり、ユーザーが足首運動を行うこともできる。
【００４０】
このような構成により、ペダル部２０が多角度で回転及びティルティング可能であり、ユーザーの下体筋肉、特に脹脛及び足首のストレッチングを促進し、これに連結された多くの微細筋肉を共に刺激することができる。このような微細筋肉の動きにより、一つの姿勢を維持することから生じる筋肉硬化及びこれによる痛みを予防するという効果がある。
【００４１】
そして、図６に示したように、ユーザーが二つのペダル部２０を同時に又は交互に押したり引っ張ったりしながら運動することができ、下体筋肉を持続的に動かし、血液循環の活性化を促進し、カロリーを消耗する。
【００４２】
前記制御部は、胴体部１０に取り付けられてスマート機器と通信し、ペダル部２０の動きを感知し、ユーザーの運動量データをスマート機器に伝送するように設けられる。
【００４３】
このために、前記制御部は、ＭＣＵ（ｍｉｃｒｏ  ｃｏｎｔｒｏｌｌｅｒ  ｕｎｉｔ）プロセッサと、スマート機器と通信可能な通信モジュールとを含んで構成され得る。
【００４４】
すなわち、前記制御部は、ＭＣＵプロセッサでユーザーの運動量などを算出し、前記通信モジュールは、算出されたユーザーの運動量データをスマート機器に伝送するように設けられ得る。
【００４５】
ここで、ユーザーの運動量を測定するために、スマート下体運動器１は、胴体部１０及びペダル部２０のうち少なくともいずれか一つに取り付けられた位置センサー及び圧力センサーをさらに含み、前記制御部は、前記位置センサー及び圧力センサーからデータを受信し、ペダル部２０の位置、ペダル部２０を加圧する圧力、ペダル部２０のスライディング移動回数を算出してスマート機器に伝送するように設けられ得る。
【００４６】
例えば、図７に示したように、ペダル基本底２１にペダル前側圧力センサー３０及びペダル後側圧力センサー３０ａが取り付けられ、これらにより、ユーザーがペダル部２０を加圧する圧力を測定する。
【００４７】
そして、ペダル基本底２１でペダル連結ロッド２２ａが連結される位置にペダル位置センサー３２が設置され、胴体表面部１１でペダルトラック１２に沿って４個以上の距離センサー３１が設置され、これらによってペダル位置センサー３２の位置を把握することができる。すなわち、ペダル部２０の左右のそれぞれにペダルトラック１２に沿って最上部センサー３１ａ、中上部センサー３１ｂ、中下部センサー３１ｃ及び最下部センサー３１ｄが取り付けられ、ペダル位置センサー３２がこれらを通過する動きを把握し、ペダル部２０の位置及びペダル部２０の往復移動回数を把握するように設けられ得る。
【００４８】
このような多くのセンサーを通じて測定されたデータにより、ユーザーの基本活動のみならず、詳細には歩幅及び両足間の力の差による力の不均衡を感知し、これを通じた姿勢の不均衡を予測することもできる。
【００４９】
前記多くのセンサーを通じて測定されたユーザーの情報は、図８に示したように、Ｗｉ−Ｆｉ（ｗｉｒｅｌｅｓｓ  ｆｉｄｅｌｉｔｙ）、ブルートゥース（登録商標）、ＲＦＩＤなどの近距離無線通信を用いてスマート機器と連動し、スマート機器は、インターネット通信を介してクラウドに情報を送信し、クルラウドで分析・生成された情報は、再びスマート機器又は病院などのユーザーが指定した機器や機関と連動し、情報が表出されるように設けられてもよい。
【００５０】
図９ａ及び図９ｂは、図１に示したスマート下体運動器の応用実施例によって椅子の脚の一部分を胴体部に固定する使用状態図である。
【００５１】
図９ａ及び図９ｂを参照すると、上述したスマート下体運動器１を椅子の脚に締結し、ユーザーが運動する間に前記スマート下体運動器１の動きを固定するように設けられ得る。
【００５２】
すなわち、前記スマート下体運動器１に図９ａに示すように椅子脚固定ホール１４を備えることによって、椅子脚のうち一つを前記椅子脚固定ホール１４に挿入し、前記スマート下体運動器１が動かないように固定することができる。
【００５３】
また、図９ｂに示すように、前記スマート下体運動器１にオープン型椅子脚固定ホール１４ａを形成することもできる。このように形成された場合は、ユーザーがスマート下体運動器１を椅子側に引っ張る方向に力を加える運動をするとき、スマート下体運動器１が椅子脚に支持されて動かないように固定することができる。
【００５４】
図１０は、図１に示したスマート下体運動器の応用実施例によって傾斜を異ならせて示した状態図である。
【００５５】
すなわち、図１０は、本発明に係るスマート下体運動器の他の応用実施例を概略的に示した図であって、胴体部１０ｂにおいて胴体表面部１１’の中心が凸状になるように傾斜を異ならせた。
【００５６】
このように構成される場合、ユーザーが後方から中心にペダル部２０を移動させると、ペダル部２０を押す力が作用し、ユーザーが前方から中心にペダル部２０を移動させると、ペダル部２０を引っ張る力が作用するようになるので、ユーザーが押したり引っ張ったりする運動をしながら新しい楽しさを感じることができる。
【００５７】
図１１ａ及び図１１ｂは、図１に示したスマート下体運動器の応用実施例に係る状態図であって、ステッパーの作動状態図である。
【００５８】
図１１ａ及び図１１ｂは、本発明に係るスマート下体運動器の他の実施例を示し、ステッパー運動を共に行える構造を示す。
【００５９】
このために、図１１ａを参照すると、胴体部１０ｃは、地面に配置されるベースフレームと、一対に設けられ、ペダル部２０がそれぞれ配置され、ペダル部２０がスライディング移動するようにペダルトラックが形成され、前記ベースフレームに弾性的に折り曲げられるように一側が連結され、ステッパー運動可能に設けられる胴体表面部１１”とを含むことができる。
【００６０】
すなわち、胴体表面部１１”が前記ベースフレームで上方に傾斜して形成され、前記ベースフレームと連結された部位は弾性的に折り曲げられるように設けられ、ユーザーが胴体表面部１１”を加圧し、ステッパー運動を行えるように設けられ得る。
【００６１】
この場合、胴体表面部１１”は、前記ベースフレームと一体型に設けられ、弾性的に変形可能な材質で製造され、上方に傾斜して折り曲げられるように形成され得る。又は、前記ベースフレームと胴体表面部１１”とが連結される部位に別途の弾性部材を備えて製造されてもよい。
【００６２】
そして、図１１ｂを参照すると、ペダル連結ロッド２２ａ’を長さ方向に伸縮可能に設け、ペダル連結ロッド２２ａ’の内部にペダル弾性体２２ｂを備えることによって、ユーザーが加圧する場合、それに対する抵抗として弾性力を印加し、ユーザーがステッパー運動を行う効果を期待することができる。
【００６３】
さらに、図面に示していないが、ペダル部２０のペダル基本底２１の表面層の内部に流体を貯蔵し、ユーザーが前記ペダル基本底２１を加圧する場合、表面が動くことによってユーザーの足首運動及び足裏刺激が行われ、マッサージ効果を享受することもできる。
【００６４】
図１２は、図１に示したスマート下体運動器の応用実施例に係る状態図であって、ペダルトラックの多角化の作動状態図である。
【００６５】
図１２を参照すると、本発明のスマート下体運動器の他の応用実施例は、胴体部１０ｄ内にペダルトラック１２と垂直な方向に連結される横側ペダルトラック１２ａをさらに備えることができる。
【００６６】
すなわち、ユーザーは、ペダルトラック１２を通じて前後方向に下体運動を実施することができ、横側ペダルトラック１２ａを通じて左右方向に下体運動を実施することができる。このような構造を通じて、ユーザーは、より多様な筋肉を使用する運動を行うことができる。
【００６７】
図１３は、図１に示したスマート下体運動器の応用実施例に係る他の状態図で、図１４は、図１３に示したスマート下体運動器の応用実施例に係る状態図であって、コンピューターマウスの作動状態図である。
【００６８】
図１３を参照すると、ペダル部２０が胴体部１０に対して着脱可能に設けられ、前記胴体部１０から分離された前記ペダル部２０が地面上で移動できるようにペダル軸ベース２２に車輪が備えられる。すなわち、前記ペダル部２０のみを地面に配置し、ユーザーは、多様な方向に前記ペダル部２０を移動させながら下体運動を行うこともできる。
【００６９】
さらに、図１４に示したように、ペダル部２０は、ペダル軸ベース２２に光センサーをさらに取り付けることによって、コンピューター用光マウスと同様に活用されてもよい。すなわち、前記制御部で前記光センサーを通じて前記ペダル部２０の移動を感知すると、これをコンピューターのマウスカーソルと連動させ、マウスカーソルを移動させるように制御することができる。
【００７０】
したがって、マウスのようにペダル部２０を移動させ、マウスカーソルを操作することによって、自然に下体を持続的に動かす効果及び関連筋肉を統制する脳刺激効果を享受することができる。
【００７１】
本発明は、特許請求の範囲で請求する請求の要旨を逸脱せずとも、当該技術分野で通常の知識を有する者によって多様に変更して実施可能であるので、本発明の技術保護範囲は、上述した特定の好ましい実施例に限定されない。
【符号の説明】
【００７２】
１      スマート下体運動器
１０    胴体部
１１    胴体表面部
１１ａ    支持部
１２    ペダルトラック
１２ａ    横側ペダルトラック
１３    連結部
１４    椅子脚固定ホール
１４ａ    オープン型椅子脚固定ホール
２０    ペダル部
２１    ペダル基本底
２１ａ    ペダル踵滑り防止部
２１ｂ    ペダルサイズ調節部
２２    ペダル軸ベース
２２ａ    ペダル連結ロッド
２２ｂ    ペダル弾性体
２３    ペダルトラック連結軸
２３ａ    ペダルトラックローラー
３０    ペダル前側圧力センサー
３０ａ    ペダル後側圧力センサー
３１    距離センサー
３１ａ    最上部センサー
３１ｂ    中上部センサー
３１ｃ    中下部センサー
３１ｄ    最下部センサー
３２    ペダル位置センサー
３３    ＭＣＵプロセッサ及び通信モジュール
【国際調査報告】
2019501684.tif 000020
2019501684.tif 000021